(57)【要約】【課題】  簡素な構成の袋体を再封可能とする。【解決手段】  袋体は、開口９０の一側に配置された第一端縁部１１１を有する第一面部１１０と、開口９０の他側に配置された第二端縁部１２１を有し、第一面部１１０と対向する第二面部１２０とを備える。また、第一端縁部１１１および第二端縁部１２１のそれぞれの内側に配設され、折り畳みおよび展開が可能な提げ手２００と、第一端縁部１１１から突設され、開口９０を覆うフラップ１とを備える。  さらに、フラップ１は、第二端縁部１２１に貼り付けられる第一貼付部１０と、第一貼付部１０よりも基端側に設けられ、開封時に切り取られる切取部３０とを有する。さらに、第一貼付部１０よりも基端側に設けられ、切取部３０が切り取られた状態で第一端縁部１１１または第二端縁部１２１に貼り付けられる第二貼付部２０を有する。【選択図】図１
2020114756.tif 000002
【特許請求の範囲】
【請求項１】
開口の一側に配置された第一端縁部を有する第一面部と、
前記開口の他側に配置された第二端縁部を有し、前記第一面部と対向する第二面部と、
前記第一端縁部および前記第二端縁部のそれぞれの内側に配設され、折り畳みおよび展開が可能な提げ手と、
前記第一端縁部から突設され、前記開口を覆うフラップとを備え、
前記フラップは、
前記第二端縁部に貼り付けられる第一貼付部と、
前記第一貼付部よりも基端側に設けられ、切取部が切り取られた状態で前記第一端縁部に貼り付けられる第二貼付部と、
前記第一貼付部および前記第二貼付部よりも基端側に設けられ、開封時に切り取られる前記切取部とを有し、
前記第一貼付部，前記第二貼付部および前記切取部は、それぞれが一箇所だけに設けられた
ことを特徴とする袋体。
【請求項２】
前記第一端縁部から前記切取部までの突出寸法と、前記フラップにおける前記第二貼付部の突出寸法とが等しい
ことを特徴とする請求項１に記載された袋体。
【請求項３】
前記第一端縁部または前記第二端縁部に対する展開された状態の前記提げ手の突出寸法は、前記第一貼付部が貼り付けられた状態における前記第一端縁部または前記第二端縁部から前記切取部までの突出寸法よりも大きい
ことを特徴とする請求項１または２に記載された袋体。
【請求項４】
前記フラップは、前記第一端縁部または前記第二端縁部に対して折り曲げられる折線を有する
ことを特徴とする請求項１〜３の何れか１項に記載された袋体。
【請求項５】
前記フラップを前記折線で折り曲げることを表示する表示部を備えた
ことを特徴とする請求項４に記載された袋体。
【請求項６】
前記フラップは、前記第一面部と一体に連設された
ことを特徴とする請求項１〜５の何れか１項に記載された袋体。
【請求項７】
前記フラップは、前記第一面部および前記第二面部とは別体に設けられ、前記第一端縁部に貼り付けられる基部を有する
ことを特徴とする請求項１〜５の何れか１項に記載された袋体。
【請求項８】
前記第一端縁部および前記第二端縁部のそれぞれに前記提げ手を貼り付ける提手貼付部を備え、
前記第一貼付部が貼り付けられた状態で、前記基部および前記第一貼付部と前記提手貼付部との少なくとも一部が重複する
ことを特徴とする請求項７に記載された袋体。
【発明の詳細な説明】
【技術分野】
【０００１】
本件は、物品を輸送するための袋体に関する。
【背景技術】
【０００２】
従来、輸送袋の開封後に返品可能な物品が配送されている。この物品は、配送サービスの利用者に発送元から発送され、輸送袋が開封されて取り出される。さらに、返品時には、物品が再び輸送袋に入れられて返送される。
そこで、いったん開封されたのちに再封可能な輸送袋が開発されている。
【０００３】
たとえば、互いに対向する一対の面部のそれぞれに開口を覆うフラップが設けられた封筒が提案されている。すなわち、一方の面部からフラップが突出するだけでなく他方の面部からもフラップが突出する封筒である。このように二つのフラップが封筒に設けられることにより、一方のフラップを他方の面部に貼り付けることで封緘することができるうえに、このフラップを切断して開封したのち、他方のフラップを一方の面部に貼り付けることで再び封緘することができる（特許文献１参照）。
【先行技術文献】
【特許文献】
【０００４】
【特許文献１】特許第4531110号公報
【発明の概要】
【発明が解決しようとする課題】
【０００５】
しかしながら、上述したように一回目の封緘に用いるフラップとは別体に二回目の封緘に用いるフラップが設けられた輸送袋は、構成が複雑となってしまう。
本件の袋体は、上記のような課題に鑑みて創案されたものであり、簡素な構成で再封可能とすることを目的の一つとする。なお、この目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００６】
（１）ここで開示する袋体は、開口の一側に配置された第一端縁部を有する第一面部と、前記開口の他側に配置された第二端縁部を有し、前記第一面部と対向する第二面部とを備える。また、前記第一端縁部および前記第二端縁部のそれぞれの内側に配設され、折り畳みおよび展開が可能な提げ手と、前記第一端縁部から突設され、前記開口を覆うフラップとを備える。
前記フラップは、前記第二端縁部に貼り付けられる第一貼付部と、前記第一貼付部よりも基端側に設けられ、切取部が切り取られた状態で前記第一端縁部に貼り付けられる第二貼付部と、前記第一貼付部および前記第二貼付部よりも基端側に設けられ、開封時に切り取られる前記切取部とを有する。さらに、前記第一貼付部，前記第二貼付部および前記切取部は、それぞれが一箇所だけに設けられている。
【０００７】
（２）さらに、前記第一端縁部から前記切取部までの突出寸法と、前記フラップにおける前記第二貼付部の突出寸法とが等しいことが好ましい。
【０００８】
（３）前記第一端縁部または前記第二端縁部に対する展開された状態の前記提げ手の突出寸法は、前記第一貼付部が貼り付けられた状態における前記第一端縁部または前記第二端縁部から前記切取部までの突出寸法よりも大きいことが好ましい。
（４）前記フラップは、前記第一端縁部または前記第二端縁部に対して折り曲げられる折線を有することが好ましい。
（５）さらに、前記フラップを前記折線で折り曲げることを表示する表示部を備えることが好ましい。
【０００９】
（６）前記フラップは、前記第一面部と一体に連設されることが好ましい。
（７）または、前記フラップは、前記第一面部および前記第二面部とは別体に設けられ、前記第一端縁部に貼り付けられる基部を有することが好ましい。
（８）この場合には、前記第一端縁部および前記第二端縁部のそれぞれに前記提げ手を貼り付ける提手貼付部を備え、前記第一貼付部が貼り付けられた状態で、前記基部および前記第一貼付部と前記提手貼付部との少なくとも一部が重複することが好ましい。
【発明の効果】
【００１０】
本件の袋体によれば、第一面部の第一端縁部から突出するフラップに二つの貼付部および切取部が設けられることにより、簡素な構成で、封緘された袋体を開封したのちに再封することができる。そのうえ、第一面部および第二面部のそれぞれの内側に提げ手が折り畳まれているため、袋体を開封した後に手提げ袋として使用することができ、利便性を向上させることができる。
【図面の簡単な説明】
【００１１】
【図１】輸送袋（袋体）を示す斜視図である。
【図２】輸送袋の要部を示す断面図である。なお、図２では、輸送袋の厚みを誇張して示す。
【図３】輸送袋の使用手順を説明する斜視図であり、一回目に封緘する様子を（Ａ）に示し、その後の開封する様子を（Ｂ）に示し、開封後にフラップを処理する様子を（Ｃ）に示し、開封後に提げ手を処理する様子を（Ｄ）に示し、その後の二回目に封緘する様子を（Ｅ）に示す。
【図４】その他の輸送袋の要部を示す斜視図である。
【発明を実施するための形態】
【００１２】
図面を参照して、実施形態としての袋体について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１３】
袋体とは、物品が入れられる袋状のものである。
本実施形態では、開口を封じるフラップの設けられた提げ手付きの輸送用の袋体（以下「輸送袋」という）について述べる。ここでは、マチ付きの輸送袋を例示する。この輸送袋には、たとえば耐破れ強度や耐水性の確保された塗工紙やラミネート紙といった紙類を用いることが好ましい。ただし、合成樹脂のフィルムや不織布といった他の公知素材を輸送袋に用いてもよい。
なお、水平面に輸送袋が一般的な使用状態で載置されたものとし、また、重力の作用方向を下方とし、下方の反対方向を上方とする。
【００１４】
［１．輸送袋の構成］
［１−１．基本的な構成］
まず、図１を参照して、輸送袋の基本的な構成を説明する。
輸送袋には、上部に開口９０が形成される本体部１００と、開口９０を封じる一つのフラップ１とが設けられる。
本体部１００は、有底の筒状に形成される。ここでは、角筒状に形成された本体部１００の上端が水平に沿って配置され、この上端で囲まれる領域に開口９０が形成される。
【００１５】
この本体部１００は、底部１０１に対して折り曲げられて立設される四つの部位１１０，１２０，１３０，１４０を有する。
これらの四つの部位１１０，１２０，１３０，１４０は、互いに対向する平面状の面部１１０，１２０と、これらの面部１１０，１２０どうしを接続するひだ状のマチ部１３０，１４０とに大別される。
【００１６】
面部１１０，１２０のうち一方の第一面部（前壁部）１１０からは、フラップ１が突出して設けられる。なお、面部１１０，１２０のうち他方の第二面部（後壁部）１２０からは、フラップ１が設けられていない。
さらに、面部１１０，１２０のそれぞれの内側には、当て紙（提手貼付部）２１０で貼り付けられた提げ手２００が配設される。この提げ手２００は、折り畳みが可能であり、また、展開することも可能である。未使用の輸送袋では、折り畳まれた状態の提げ手２００が面部１１０，１２０において上端縁部１１１，１２１の内側に設けられる。
なお、図１には平紐の提げ手２００を例示するが、丸紐の提げ手を用いてもよい。また、提げ手２００には、紙類に限らず、樹脂や木綿といった公知素材を用いてもよい。
【００１７】
マチ部１３０，１４０のうち一方の第一マチ部１３０は、面部１１０，１２０の一側（図１では右下側）どうしを接続し、他方の第二マチ部１４０は、面部１１０，１２０の他側（図１では左上側）どうしを接続する。
マチ部１３０，１４０のそれぞれは、第一面部１１０に連設される前半部１３１，１４１と第二面部１２０に連設される後半部１３２，１４２とが谷折線を介して配置される。このように谷折線を介して前半部１３１，１４１と後半部１３２，１４２とが連設されることで、輸送袋にマチが設けられる。
【００１８】
［１−２．詳細な構成］
つぎに、輸送袋の詳細な構成を述べる。
本輸送袋は、いったん封緘された後に開封されてから、再び封緘することができる。すなわち、未使用の輸送袋に物品を入れてから一回目の封緘を経たのちに開封したうえで、二回目の封緘をすることが可能である。以下、「開封」は、特に断らない限り、一回目の封緘後であって二回目の封緘前の開封を意味するものとする。たとえば、単に「開封後」というときは、二回目の封緘前に開封された状態を意味し、さらに、単に「開封前」というときには、一回目の開封後に封緘された状態を意味するものとする。
【００１９】
このように輸送袋を再封可能とする構造は、フラップ１に設けられる。
そこで、フラップ１を詳細に説明する。
フラップ１は、第一面部１１０の上端縁部（第一端縁部）１１１から上方に突出して設けられる。また、フラップ１と第一面部１１０とは、同一のシート片において一体に連設される。
このフラップ１には、先端から基端へ向けて、第一貼付部１０，第二貼付部２０，切取部３０，非貼付部４０の順に各部位が設けられる。ここでの貼付部１０，２０の各形状は、底辺のうち短辺が先端側であって長辺が基端側に配置された対称な台形状に形成されている。また、切取部３０および非貼付部４０の形状は、矩形の帯状に形成されている
【００２０】
さらに、フラップ１には、水平方向（フラップ１の突出方向に直交する方向）に沿って、複数の切取線Ｃ1，Ｃ2および折線Ｌ1，Ｌ2が設けられる。
具体的には、二つの切取線Ｃ1，Ｃ2の間に切取部３０が形成される。これらの切取線Ｃ1，Ｃ2には、断続的に切断線が形成されたミシン目加工が施される。また、第一貼付部１０と第二貼付部２０との間に第一折線Ｌ1（図１では実線で示す）が形成され、第一面部１１０のうち上端縁部１１１と非貼付部４０との間に第二折線Ｌ2（図１では一点鎖線で示す）が形成される。言い換えれば、フラップ１の先端から基端へ向けて、第一折線Ｌ1，第一切取線Ｃ1，第二切取線Ｃ2，第二折線Ｌ2の順に各線が形成される。
【００２１】
第一貼付部１０は、一回目の封緘時に、第二面部１２０の上端縁部（第二端縁部）１２１に貼り付けられる部位である。なお、第一貼付部１０が貼り付けられた状態では、第二面部１２０の上端縁部１２１のうちの上端（第二端部）１２２と第一貼付部１０の基端１０ａ（第二貼付部２０の先端２０ａ）とが一致するように合わせられた状態であるものとする。
【００２２】
この第一貼付部１０の内側には、図２に示すように、第一貼付層１１および第一剥離層１２〔図１および図３（Ａ）参照〕が設けられる。なお、ここでいう「内側」とは、図１に示すようにフラップ１が突出した状態では、第二面部１２０に向かう側を意味し、図２に示すように第一貼付部１０が貼り付けられて封緘された状態では、輸送袋の内部空間に向かう側を意味する。
第一貼付層１１は、接着材あるいは粘着材からなる材料層である。この第一貼付層１１は、第一貼付部１０の内側に接着材や粘着材が塗布されて設けられてもよいし、接着テープや粘着テープが第一貼付部１０の内側に貼り付けられて設けられてもよい。
【００２３】
第一剥離層１２は、第一貼付層１１の内側において剥離可能に貼り付けられたシート片である。第一貼付層１１に第一剥離層１２が貼り付けられることで、第一貼付層１１に対する異物の付着が防止される。この第一剥離層１２は、一回目の封緘時（第一貼付部１０が貼り付けられるとき）に剥離される。
たとえば、第一貼付部１０に対して貼り付けられた両面テープは、第一貼付層１１および第一剥離層１２を構成する。この場合には、両面テープのうちの接着テープ部が第一貼付層１１に対応し、剥離紙が第一剥離層１２に対応する。
【００２４】
第二貼付部２０は、二回目の封緘時（切取部３０が切り取られた状態）において、第一面部１１０の上端縁部１１１に貼り付けられる部位である。なお、第二貼付部２０は、二回目の封緘前には何れの部位にも貼り付けられない。
この第二貼付部２０も、第一貼付部１０と同様に、第二貼付層２１および第二剥離層２２が内側に設けられる。第二貼付層２１と第一貼付層１１とは、個別に設けられてもよいし、互いに連設されてもよい。ただし、第二剥離層２２は、第一剥離層１２とは個別に設けられる。
【００２５】
切取部３０は、開封時に切り取られる部位である。この切取部３０は、上述した切取線Ｃ1，Ｃ2の間に設けられる。
なお、開封前には、開口９０を覆う箇所に切取部３０が位置する。この開口９０の一側（図１では右上側）には第一面部１１０の上端縁部１１１が配置され、他側（図１では左下側）には第二面部１２０の上端縁部１２１が配置される。
【００２６】
非貼付部４０は、何れの部位にも貼り付けられることのない部位である。この非貼付部４０も、切取部３０と同様に、開封前に開口９０を覆う箇所に位置する。
ここでは、切取部３０や非貼付部４０に貼付層や剥離層は設けられていない。ただし、切取部３０や非貼付部４０に貼付層や剥離層を設けてもよい。
【００２７】
つぎに、輸送袋における各部の寸法を説明する。
ここで、フラップ１の各部位における突出方向の寸法（以下、単に「突出寸法」という）について、第一貼付部１０の突出寸法を「Ｍ1」とし、第二貼付部２０の突出方向の寸法を「Ｍ2」とし、非貼付部４０の突出寸法（第一面部１１０の上端〈第一端部〉１１２から切取部３０までの突出寸法）を「Ｍ3」とする。また、図３（Ｄ）に示すように、面部１１０，２１０の上端１１２，１２２に対する展開された提げ手２００の突出寸法を「Ｍ4」とし、当て紙２１０の上端２１１に対する面部１１０，２１０の上端１１２，１２２の突出寸法を「Ｍ5」とする。
【００２８】
これらの寸法Ｍ1，Ｍ2，Ｍ3，Ｍ4，Ｍ5は、等式１「Ｍ2＝Ｍ3」，不等式２「Ｍ4＞Ｍ2＝Ｍ3」および不等式３「Ｍ1＞Ｍ5」を満たす。
等式１は、第二貼付部２０の突出寸法Ｍ2と非貼付部４０の突出寸法Ｍ3とが等しく設定されることを意味する。これは、開封前に、面部１１０，１２０どうしが離隔する方向の中央に切取部３０が配置されることも意味する。
【００２９】
不等式２は、開封後の面部１１０，１２０に対するフラップ１の突出寸法、即ち、第二貼付部２０の突出寸法Ｍ2および非貼付部４０の突出寸法Ｍ3よりも展開された提げ手２００の突出寸法Ｍ4が大きく設定されることを意味する。
不等式３は、当て紙２１０の上端２１１に対する面部１１０，１２０の上端１１２，１２２の突出寸法Ｍ5よりも第一貼付部１０の突出寸法Ｍ1が大きく設定されることを意味する。これは、第一貼付部１０が貼り付けられた状態において、第一貼付部１０と当て紙２１０との少なくとも一部が側面視で重複することも意味する。
【００３０】
そのほか、輸送袋には、開封後のフラップ１の扱いを表示する表示部１５０が設けられる。この表示部１５０は、開封後に、面部１１０，１２０のそれぞれから突出するフラップ１を折線Ｌ1，Ｌ2で外側へ折り曲げることを案内表示している。
なお、図案標記の表示部１５０が第二面部１２０の外側に印刷されたものを図１に例示するが、これに替えてまたは加えて、第一面部１１０やフラップ１に印刷された文字表記の表示部を設けてもよい。これに加えて、切取部３０の切り取り処理や提げ手２００の展開処理を案内表示する表示部を設けてもよい。
【００３１】
［２．輸送袋の使用手順］
つぎに、図３を参照して、輸送袋の使用方法を説明する。
はじめに、未使用の輸送袋に物品を入れる。それから、図３（Ａ）に示すように、フラップ１の第一剥離層１２を剥がして、第二面部１２０の上端縁部１２１に第一貼付部１０を貼り付ける。このようにして、輸送袋の一回目の封緘が行なわれる。
【００３２】
つづいて、図３（Ｂ）に示すように、フラップ１から切取部３０を切り取って、輸送袋を開封する。
それから、図３（Ｃ）に示すように、表示部１５０に表示される通り、面部１１０，１２０から上方の突出する第二貼付部２０および非貼付部４０を折線Ｌ1，Ｌ2で外側に折り曲げる。また、図３（Ｄ）に示すように、折り畳まれた提げ手２００を展開して面部１１０，１２０から上方に突出させる。このようにして、輸送袋を手提げ袋として使用することができる。
【００３３】
つづいて、再び提げ手２００を内部に折り畳み、また、非貼付部４０も内部に折り畳んだうえで、図３（Ｅ）に示すように、第一面部１１０の上端縁部１１１に第二貼付部２０を貼り付ける。このようにして、輸送袋の二回目の封緘が行なわれる。
【００３４】
［３．作用および効果］
本実施形態の輸送袋は、上述のように構成されるため、以下のような作用および効果を得ることができる。
（１）第一面部１１０の上端縁部１１１から突出する一つのフラップ１に二つの貼付部１０，２０および切取部３０が設けられることにより、簡素な構成で、一回目に封緘された輸送袋を開封したのちに再封することができる。そのうえ、面部１１０，１２０のそれぞれの内側に提げ手２００が折り畳まれているため、輸送袋を開封した後に手提げ袋として使用することができ、利便性を向上させることができる。
【００３５】
この輸送袋は、一回目の封緘後かつ二回目の封緘前に一つのフラップ１を切取部３０で切り取ることで、第一貼付部１０を介して第二面部１２０に貼り付けられた状態の第二貼付部２０が二回目の封緘用のフラップ１として出現する。そのため、一回目の封緘用のフラップとは別体に二回目の封緘用のフラップを設ける必要がない。しがたって、二つのフラップを設けて再封可能とした輸送袋と比較して、簡素な構成を実現することができる。
【００３６】
ここで、輸送袋の開封後に返品可能な物品の配送サービスが利用される場合について述べる。具体的には、発送元から発送された荷物（物品の入れられた輸送袋）が店舗で受け取られて自宅に持ち帰られる場合について説明する。
発送元から店舗に荷物を発送するときには、物品を輸送袋に入れたうえで、第一貼付部１０を第二面部１２０の上端縁部１２１に貼り付ける。このとき、輸送袋の内部に提げ手２００が折り畳まれた状態となっている。そのため、外部に提げ手が設けられた荷物に比較して、配送作業性を高めることができる。
【００３７】
その後、店舗に届けられた荷物を利用者が自宅に持ち帰るときには、切取部３０を切り取って提げ手２００を展開することで、輸送袋を利用者が手に提げて持ち帰ることができる。そのため、利用者の利便性を高めることができる。
仮に、利用者が返品する場合には、輸送袋に物品を入れたうえで提げ手２００および非貼付部４０を内部に折り畳み、第一面部１１０の上端縁部１１１に第二貼付部２０を貼り付ける。そして、発送元に荷物を返送する。このときにも提げ手２００が内部に折り畳まれているため、配送作業性を向上させることができる。
【００３８】
（２）上記の等式１に示すように、第二貼付部２０の突出寸法Ｍ2と非貼付部４０の突出寸法Ｍ3とが等しく設定されることから、開封後に、面部１１０，１２０のそれぞれから突出するフラップ１の寸法Ｍ2，Ｍ3を等しくできる。そのため、開封後にフラップ１を上方に突出させた状態にしたとしても、展開された提げ手２００に囲まれる開口の上下寸法も等しくすることができる。よって、提げ手２００の持ちやすさを確保することができる。
【００３９】
（３）また、上記の不等式２に示すように、開封後の面部１１０，１２０に対するフラップ１の突出寸法Ｍ2，Ｍ3よりも展開された提げ手２００の突出寸法Ｍ4が大きく設定される。このことから、開封後にフラップ１を上方に突出させた状態にしたとしても、提げ手２００に囲まれる開口を確実に形成することができ、提げ手２００の持ちやすさを確保することができる。
さらに、上記の不等式３に示すように、第一貼付部１０が貼り付けられた状態において、第一貼付部１０と当て紙２１０との少なくとも一部が側面視で重複する。そのため、封緘用の第一貼付部１０を利用して、第二面部１２０の上端縁部１２１に対して内側に配設された提げ手２００の周辺部を補強することができる。
【００４０】
（４）開封後には、面部１１０，１２０から第二貼付部２０および非貼付部４０が突出する。これに対して、第一貼付部１０と第二貼付部２０との間に第一折線Ｌ1が形成され、第一面部１１０の上端１１２と非貼付部４０との間に第二折線Ｌ2が形成される。そのため、突出する第二貼付部２０および非貼付部４０を面部１１０，１２０に対して折り曲げやすくすることができる。よって、突出する第二貼付部２０および非貼付部４０と展開された提げ手２００との干渉を抑えて利便性を向上させることに寄与する。
【００４１】
（５）さらに、第二貼付部２０および非貼付部４０を折線Ｌ1，Ｌ2で外側に折り曲げることを案内表示する表示部１５０が設けられる。そのため、開封された輸送袋を手提げ袋として使用するときに、面部１１０，１２０から突出する第二貼付部２０および非貼付部４０の折り曲げを利用者に対して確実に促すことができる。よって、展開された提げ手２００に対する第二貼付部２０および非貼付部４０の干渉が確実に抑えられ、利便性を確保することができる。
【００４２】
（６）フラップ１と第一面部１１０とが一体に連設されるため、別体のフラップが第一面部に貼り付けられた輸送袋と比較して、輸送袋を構成するシート片の数が抑えられ、輸送袋をより簡素に構成することができる。また、製造工程において別体のフラップの第一面部への貼付工程を省略することができるため、輸送袋の製造効率を高めることもできる。
（７）そのほか、フラップ１の切取部３０や非貼付部４０には、貼付層や剥離層が設けられていないため、貼付層や剥離層がフラップ１に過剰に設けられることがなく、材料コストを低減することができる。
【００４３】
［４．その他］
最後に、その他の変形例について述べる。
フラップ１は、第一面部１１０と別体に設けられてもよい。この場合のフラップ１には、第一面部１１０の上端縁部１１１に貼り付けられる基部５０（図１に二点鎖線で示す）が設けられる。この基部５０は、当て紙２１０の少なくとも一部と側面視で重複することが好ましい。
このような別体のフラップ１によれば、フラップの設けられていない手提げ袋に別体のフラップ１を貼り付けるだけで、簡素な構成の再封可能な輸送袋を得ることができる。さらに、第一面部１１０に貼り付けられた当て紙２１０の少なくとも一部が基部５０と重複することで、面部１１０，１２０の上端縁部１１１，１２１の内側に配設された提げ手２００の双方を補強することができる。よって、手提げ袋として使用される輸送袋の耐久性を向上させることができる。
【００４４】
また、切取線Ｃ1，Ｃ2に替えたまたは加えて、いわゆるカットテープを切取部３０に設けてもよい。この切取部３０は、非貼付部４０と第二貼付部２０との間だけでなく、非貼付部４０と第一面部１１０あるいは基部５０との間に設けられてもよい。
更に言えば、第二貼付部２０と第一面部１１０あるいは基部５０との間の全てを切取部としてもよい。すなわち、非貼付部４０に対応する部位をも切取部としてもよい。この場合には、開封時に第一面部１１０から突出するフラップ１の部位を、全て切り取ることができる。よって、第一面部１１０から突出する提げ手２００に対するフラップ１の干渉を防止することができる。
【００４５】
さらに、輸送袋において三回以上封緘（二回以上再封）するために、封緘回数に応じた数の第一貼付部，第二貼付部および切取部をフラップに設けてもよい。
たとえば、封緘回数を「Ｘ＝２Ｙ＋Ｚ」（ただし、Ｙは零を含まない自然数，Ｚは零を含む自然数）とする。このとき、「Ｘ」が奇数（Ｚ＝１）であれば「Ｙ＋１＝（Ｘ＋１）／２」の数だけ第一貼付部が設けられ、「Ｘ」が偶数（Ｚ＝０）であれば「Ｙ＝Ｘ／２」の数だけ第二貼付部および切取部のそれぞれが設けられる。なお、奇数回目の封緘時に第一貼付部が貼り付けられ、偶数回目の封緘時に第二貼付部が貼り付けられる。
【００４６】
具体的に言えば、図４に示すように、複数の第一貼付部１０′−ｎ（ただし、ｎは何回目の封緘時に貼り付けられるかを示す零を含まない自然数のうちの奇数）は、フラップ１′の先端側において突出方向に並んで設けられる。詳細には、封緘回数が小さいときに貼り付けられる第一貼付部１０′−ｎほど先端側に配置される。これらの第一貼付部１０′−ｎどうしの間には、偶数回目の開封時に切り取られる切取部３０′−ｍ（ただし、ｍは何回目の開封時に切り取られるかを示す零を含まない自然数）が配置される。
また、フラップ１′の基端側に複数の第二貼付部２０′−ｌ（ただし、ｌは何回目の封緘時に貼り付けられるかを示す零を含まない自然数のうちの偶数）が突出方向に並んで設けられる。詳細には、封緘回数が小さいときに貼り付けられる第二貼付部２０′−ｌほど基端側に配置される。これらの第二貼付部２０′−ｌどうしの間には、奇数回目の開封時に切り取られる切取部３０′−ｍが配置される。
【００４７】
そのほか、第一貼付部と第二貼付部との間に切取部を配置してもよい。この場合には、一回目の封緘時に第一貼付部を第一端縁部に貼り付け、切取部を切り取ったのちに、二回目の封緘時に第二貼付部を再び第一端縁部に貼り付けることで、簡素な構成の輸送袋を再封することができる。
なお、輸送袋は、マチ付きの袋に限らず、マチ無しの袋（いわゆる「平袋」）であってもよい。
【符号の説明】
【００４８】
１    フラップ
１０    第一貼付部
１０ａ    基端
２０    第二貼付部
２０ａ    先端
３０    切取部
４０    非貼付部
５０    基部
９０    開口
１００    本体部
１１０    第一面部（前壁部）
１１１    上端縁部（第一端縁部）
１１２    上端（第一端部）
１２０    第二面部（後壁部）
１２１    上端縁部（第二端縁部）
１２２    上端（第二端部）
１３０    第一マチ部
１４０    第二マチ部
１５０    表示部
２００    提げ手
２１０    当て紙（提手貼付部）
２１１    上端
Ｃ1，Ｃ2    切取線
Ｌ1，Ｌ2    折線
Ｍ1，Ｍ2，Ｍ3，Ｍ4，Ｍ5    突出寸法
【図１】
2020114756.tif 000003
【図２】
2020114756.tif 000004
【図３】
2020114756.tif 000005
【図４】
2020114756.tif 000006
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
開口の一側に配置された第一端縁部を有する第一面部と、
前記開口の他側に配置された第二端縁部を有し、前記第一面部と対向する第二面部と、
前記第一端縁部および前記第二端縁部のそれぞれの内側に配設され、折り畳みおよび展開が可能な提げ手と、
前記第一端縁部から突設され、前記開口を覆うフラップとを備え、
前記フラップは、
前記第二端縁部に貼り付けられる第一貼付部と、
前記第一貼付部よりも基端側に設けられ、切取部が切り取られた状態で前記第一端縁部に貼り付けられる第二貼付部と、
前記第一貼付部および前記第二貼付部よりも基端側に設けられ、開封時に切り取られる前記切取部とを有し、
前記第一貼付部，前記第二貼付部および前記切取部は、それぞれが一箇所だけに設けられた
ことを特徴とする袋体。